(57)【特許請求の範囲】
【請求項１】
単線結線図に関する操作を受け付ける入力部と、
前記操作に基づいて前記単線結線図の設定データを生成する制御部と、
前記設定データを記憶する記憶部とを備え、
前記入力部は、第１の電力系統に関する第１の設定と、第２の電力系統に関する第２の設定と、前記第１および第２の電力系統に共通する第３の設定とを受け付け、
前記制御部は、
前記第１の設定と前記第３の設定とを含む第１の単線結線図の設定データを生成し、
前記第２の設定と前記第３の設定とを含む第２の単線結線図の設定データを生成し、
前記第１の単線結線図の設定データと、前記第２の単線結線図の設定データとを前記記憶部に格納する、装置。
【請求項２】
前記第１の設定は、前記第１の電力系統に関する第１のレイヤを含み、
前記第２の設定は、前記第２の電力系統に関する第２のレイヤを含み、
前記第３の設定は、前記第１および第２の電力系統に共通の第３のレイヤを含み、
各前記レイヤは、１または複数のシンボルを含み、
前記シンボルは、監視対象の機器を示す図形である、請求項１に記載の装置。
【請求項３】
前記入力部は、各前記レイヤの重なり順を変更する入力を受け付け、
前記制御部は、前記重なり順を変更する入力に基づいて、前記第１および第２の単線結線図の設定データ内における各前記レイヤの前記重なり順を決定する、請求項２に記載の装置。
【請求項４】
前記入力部は、各前記レイヤの各々の表示／非表示の設定の入力を受け付け、
前記制御部は、各前記レイヤの各々の表示／非表示の設定の各々に基づいて、各前記レイヤの各々の表示設定を決定する、請求項２に記載の装置。
【請求項５】
前記第１および第２の単線結線図の設定データを生成することは、
前記第１の設定、前記第２の設定および前記第３の設定の組み合わせに関する情報を含む第１および第２の単線結線図の編集データを生成することと、
前記第１および第２の単線結線図の各編集データに基づいて、前記第１および第２の単線結線図の各々の設定データを生成することとを含む、請求項４に記載の装置。
【請求項６】
前記第１の設定は、前記第１の電力系統に関する第１の内部データを含み、
前記第２の設定は、前記第２の電力系統に関する第２の内部データを含み、
前記第３の設定は、前記第１の電力系統および前記第２の電力系統に共通の第３の内部データを含み、
各前記内部データは、複数の前記監視対象の機器の各々から計測される、請求項４に記載の装置。
【請求項７】
各前記内部データは、電圧値または電流値である、請求項６に記載の装置。
【請求項８】
各前記内部データは、前記シンボルのいずれかに関連付けられる、請求項６に記載の装置。
【請求項９】
前記第１および第２の単線結線図の設定データを生成することは、
各前記設定の組み合わせに関する情報と、各前記内部データの各々と各前記シンボルの各々との関連付けに関する情報とを含む第１および第２の単線結線図の編集データを生成することと、
前記第１および第２の単線結線図の各々の編集データに基づいて、前記第１および第２の単線結線図の各々の設定データを生成することとを含む、請求項８に記載の装置。
【請求項１０】
単線結線図を作成するためにコンピュータによって実行される方法であって、
第１の電力系統に関する第１の設定と、第２の電力系統に関する第２の設定と、前記第１および第２の電力系統に共通する第３の設定とを受け付けるステップと、
前記第１の設定と前記第３の設定とを含む第１の単線結線図の設定データを生成するステップと、
前記第２の設定と前記第３の設定とを含む第２の単線結線図の設定データを生成するステップと、
前記第１の単線結線図の設定データと、前記第２の単線結線図の設定データとを記憶部に格納するステップとを含む、方法。
【請求項１１】
前記第１の設定は、前記第１の電力系統に関する第１のレイヤを含み、
前記第２の設定は、前記第２の電力系統に関する第２のレイヤを含み、
前記第３の設定は、前記第１および第２の電力系統に共通の第３のレイヤを含み、
各前記レイヤは、１または複数のシンボルを含み、
前記シンボルは、監視対象の機器を示す図形である、請求項１０に記載の方法。
【請求項１２】
各前記レイヤの重なり順を変更する入力を受け付けるステップと、
前記重なり順を変更する入力に基づいて、前記第１および第２の単線結線図の設定データ内における各前記レイヤの前記重なり順を決定するステップとをさらに含む、請求項１１に記載の方法。
【請求項１３】
各前記レイヤの各々の表示／非表示の設定の入力を受け付けるステップと、
各前記レイヤの各々の表示／非表示の設定の各々に基づいて、各前記レイヤの各々の表示設定を決定するステップとをさらに含む、請求項１１に記載の方法。
【請求項１４】
前記第１および第２の単線結線図の設定データを生成するステップは、
前記第１の設定、前記第２の設定および前記第３の設定の組み合わせに関する情報を含む第１および第２の単線結線図の編集データを生成するステップと、
前記第１および第２の単線結線図の各編集データに基づいて、前記第１および第２の単線結線図の各々の設定データを生成するステップとを含む、請求項１３に記載の方法。
【請求項１５】
前記第１の設定は、前記第１の電力系統に関する第１の内部データを含み、
前記第２の設定は、前記第２の電力系統に関する第２の内部データを含み、
前記第３の設定は、前記第１の電力系統および前記第２の電力系統に共通の第３の内部データを含み、
各前記内部データは、複数の前記監視対象の機器の各々から計測される、請求項１３に記載の方法。
【請求項１６】
各前記内部データは、電圧値または電流値である、請求項１５に記載の方法。
【請求項１７】
各前記内部データは、前記シンボルのいずれかに関連付けられる、請求項１５に記載の方法。
【請求項１８】
前記第１および第２の単線結線図の設定データを生成するステップは、
各前記設定の組み合わせに関する情報と、各前記内部データの各々と各前記シンボルの各々との関連付けに関する情報とを含む第１および第２の単線結線図の編集データを生成するステップと、
前記第１および第２の単線結線図の各々の編集データに基づいて、前記第１および第２の単線結線図の各々の設定データを生成するステップとを含む、請求項１７に記載の方法。
【請求項１９】
請求項１０〜１８のいずれかに記載の方法を１または複数のプロセッサに実行させるためのプログラム。
【発明の詳細な説明】
【技術分野】
【０００１】
本開示は、単線結線図を作成する技術に関し、より特定的には、単線結線図の作成工数の削減に関する。
【背景技術】
【０００２】
単線結線図に関し、例えば、特開２００２−３４１５２号公報（特許文献１）は、「実機器データ作成部が、各検索部に検索指令を送出して得られた検索結果と、予め保持する単線結線図の設計データ、保護連動の設計データ及び操作連動の設計データとに基づいて、各設計データ内の該当する領域に検索結果の機器個別情報を記入することにより、機器個別情報の記入された単線結線図、保護連動及び操作連動の実機器データを作成し、作成結果を出力する」変電所設備管理装置を開示している（［要約］参照）。
【先行技術文献】
【特許文献】
【０００３】
【特許文献１】特開２００２−３４１５２号公報
【発明の概要】
【発明が解決しようとする課題】
【０００４】
特許文献１に開示された技術によると、類似する複数の電力系統が存在する場合、例え各電力系統の構成の大部分が同じであっても、各電力系統の単線結線図を個別に作成する必要がある。したがって、類似の構成を備える複数の電力系統が存在する場合、各電力系統で共通となる構成のパーツを流用して各電力系統の単線結線図を作成するための技術が必要とされている。【０００５】
本開示は、上記のような背景に鑑みてなされたものであって、ある局面における目的は、類似の構成を備える複数の電力系統が存在する場合、各電力系統で共通となる構成のパーツを流用して各電力系統の単線結線図を作成するための技術を提供することにある。
【課題を解決するための手段】
【０００６】
ある実施の形態に従う装置は、単線結線図に関する操作を受け付ける入力部と、操作に基づいて単線結線図の設定データを生成する制御部と、設定データを記憶する記憶部とを備える。入力部は、第１の電力系統に関する第１の設定と、第２の電力系統に関する第２の設定と、第１および第２の電力系統に共通する第３の設定とを受け付ける。制御部は、第１の設定と第３の設定とを含む第１の単線結線図の設定データを生成し、第２の設定と第３の設定とを含む第２の単線結線図の設定データを生成し、第１の単線結線図の設定データと、第２の単線結線図の設定データとを記憶部に格納する。
【発明の効果】
【０００７】
ある実施の形態に従うと、類似の構成を備える複数の電力系統が存在する場合、各電力系統で共通となる構成のパーツを流用して各電力系統の単線結線図を作成することが可能である。【０００８】
この開示内容の上記および他の目的、特徴、局面および利点は、添付の図面と関連して理解される本開示に関する次の詳細な説明から明らかとなるであろう。
【図面の簡単な説明】
【０００９】
【図１】ある実施の形態に従う単線結線図１００の表示の一例を示す図である。
【図２】電力系統Ａ，Ｂの各々の単線結線図２００Ａ，２００Ｂの一例を示す図である。
【図３】共通の設定および個別の設定を含む単線結線図３００Ａ，３００Ｂに関連するデータの一例を示す図である。
【図４】ある実施の形態に従う設定装置４００が生成するデータの一例を示す図である。
【図５】各監視装置の単線結線図の設定データの生成の様子の一例を示す図である。
【図６】各監視装置で表示される単線結線図と、各監視装置の設定ファイルとの関係の一例を示す図である。
【図７】設定ファイルに含まれるレイヤの一例を示す図である。
【図８】設定装置４００の機能ブロックの構成の一例を示す。
【図９】情報処理装置９００のハードウェアの構成の一例を示す。
【図１０】設定装置４００に格納される単線結線図の編集データおよび単線結線図の設定データの一例を示す図である。
【図１１】レイヤに含まれるシンボルの一例を示す図である。
【図１２】設定装置４００の内部処理のフローチャートの一例を示す図である。
【図１３】ある実施の形態に従う設定ファイル１３００の一例を示す図である。
【図１４】ある実施の形態に従う設定装置１４００の機能ブロックの構成の一例を示す。
【図１５】設定装置１４００に格納される単線結線図の編集データおよび単線結線図の設定データの一例を示す図である。
【図１６】内部データ１３１０の付帯情報１６００の一例を示す図である。
【図１７】単線結線図の編集データに含まれる設定ファイル１７００の構成の一例を示す図である。
【図１８】編集部１４０１が提供する編集画面１８１０の画面の第１の例を示す図である。
【図１９】編集部１４０１が提供する編集画面１８１０の画面の第２の例を示す図である。
【図２０】編集部１４０１が提供する編集画面１８１０の画面の第３の例を示す図である。
【発明を実施するための形態】
【００１０】
以下、図面を参照しつつ、本開示に係る技術思想の実施の形態について説明する。以下の説明では、同一の部品には同一の符号を付してある。それらの名称および機能も同じである。したがって、それらについての詳細な説明は繰り返さない。なお、これ以降の説明では、複数の同一の構成に対して言及する場合、構成１２３Ａ，１２３Ｂのように表現することがある。また、それらを総称する場合は、構成１２３のように表現する。
【００１１】
実施の形態１．
図１は本実施の形態に従う単線結線図１００の表示の一例を示す図である。「単線結線図」は、画像、数値および文字等を用いて、電力系統の状態および補足情報を表示する。単線結線図１００は、監視装置のディスプレイ等に表示される。「監視装置」は、例えば変電所内のある設備を監視する。電力系統の管理者は、単線結線図１００を確認することで、電力系統の状態を把握し、設備の保守を適切に行なうことができる。
【００１２】
単線結線図１００は、ある電力系統を表しており、大きく分けて、シンボル１１０と、内部データ１２０とを含む。単線結線図１００は、保守対象の電力系統の数だけ作成され得る。例えば、３つの保守対象の電力系統が存在する場合、３つの保守対象の電力系統の各々に対応する単線結線図１００が作成される。
【００１３】
シンボル１１０は、電力系統に含まれる構成を示す。ある局面において、当該構成は、電力系統を構成する電力線およびスイッチ等の部品、設備または機器を含み得る。また、他の局面において、シンボル１１０は、電力系統の補足情報等を表示するためのラベル、テキストボックス、および、ボタン等の部品をさらに含んでいてもよい。
【００１４】
内部データ１２０は、各シンボルに対応付けられる動的に変化するデータである。「内部データ」は、各シンボルに関する情報の実測値を表す。シンボルに関する情報は、例えば、電圧または電流である。言い換えれば、内部データは、ある設備または機器の内部の状態を示すデータである。内部データ１２０の状態に応じて、テキストボックス等に表示される数値が動的に変化し得る。一例として、図１に示す内部データ１２０は、Ｘ母線の電圧と、Ｙ母線の電圧とを含む。内部データ１２０は、ある設備のＸ母線の電圧と、Ｙ母線の電圧とを含む内部データ１２０の状態に応じて、動的に変化する。ある局面において、内部データ１２０は、電圧、電流、演算で得られた任意の情報、および任意のセンサー値（ガス圧、温度等）を表し得る。
【００１５】
監視装置は、単線結線図の設定データを読み込むことで、単線結線図１００をディスプレイに表示する。「単線結線図の設定データ」は、例えば、単線結線図に含まれるシンボル１１０の数、座標および色情報等と、各シンボル１１０および内部データ１２０の関連付け情報とを含む。
【００１６】
単線結線図の設定データは、単線結線図の設定装置において生成される。「単線結線図の設定装置（これ以降、単線結線図の設定装置を単に「設定装置」と呼ぶ）」は、ユーザーからの操作入力を受け付け、当該操作入力に基づいて、単線結線図１００の画面の編集、各シンボル１１０および各内部データ１２０の関連付け等を行なう機能を備える。ある局面において、設定装置４００は、パーソナルコンピュータ、ワークステーション、クラウド環境上に構築された仮想マシンであってもよい。
【００１７】
他の局面において、設定装置と監視装置とは同一の機器であってもよい。また、他の局面において、設定装置と監視装置とは別の機器であってもよい。その場合、監視装置は、設定装置から、単線結線図の設定データを取得することにより、単線結線図１００をディスプレイに表示し得る。
【００１８】
次に、図２および図３を参照して、複数の単線結線図を作成するときの問題点について説明する。以下、ある変電所が複数の電力系統Ａ，Ｂ（個別の設備Ａ，Ｂ）を含むものとして説明する。
【００１９】
図２は、電力系統Ａ，Ｂの各々の単線結線図２００Ａ，２００Ｂの一例を示す図である。単線結線図２００Ａは、シンボル２１０Ａおよびシンボル２２０Ａを含む。単線結線図２００Ｂは、シンボル２１０Ｂおよびシンボル２２０Ｂを含む。
【００２０】
１つの変電所内に設置される複数の監視装置の各々に表示される単線結線図は、同一母線に接続される電力系統の単線結線図である場合、図２に示すように互いに類似した構成の単線結線図となることが多い。しかし、各単線結線図は、多くの設定内容が共通ではあるが、完全に同一とはならず、機器の番号または母線の名称等の一部のみが異なることがある。例えば、単線結線図２００Ａ，２００Ｂにおいて、シンボル２１０Ａおよびシンボル２１０Ｂは共通である。しかし、シンボル２２０Ａおよびシンボル２２０Ｂは、母線の名称が異なっていることがわかる。
【００２１】
従来の単線結線図の作成方法では、ユーザは、このように細部が異なるだけの単線結線図２００Ａ，２００Ｂについても、個別に作成する必要があった。このような単線結線図２００Ａ，２００Ｂは、お互いに共通の設定および個別の設定を含む。
【００２２】
図３は、共通の設定および個別の設定を含む単線結線図３００Ａ，３００Ｂに関連するデータの一例を示す図である。図３を参照して、複数の単線結線図を作成するときの作成工数の増大の原因となるデータについて説明する。単線結線図３００Ａは、監視装置Ａの画面に表示され、単線結線図３００Ｂは、監視装置Ｂの画面に表示されるものとする。
【００２３】
ユーザは、設定装置を使用して、単線結線図の編集データを作成する。「単線結線図の編集データ」は、設定装置において編集可能なデータである。ユーザは、単線結線図の編集データを編集することで、単線結線図を編集することができる。設定装置は、単線結線図の編集データに基づいて、単線結線図の設定データを生成する。監視装置は、単線結線図の設定データに基づいて、単線結線図をディスプレイに表示する。
【００２４】
図３に示す例では、ユーザは、設定装置を使用して、単線結線図の編集データ３０１Ａを編集する。設定装置は、単線結線図の編集データ３０１Ａに基づいて、監視装置Ａに読み込ませる単線結線図の設定データ３０３Ａを生成する。監視装置Ａは、単線結線図の設定データ３０３Ａに基づいて、単線結線図３００Ａをディスプレイに表示する。
【００２５】
同様に、ユーザは、設定装置を使用して、単線結線図の編集データ３０１Ｂを編集する。設定装置は、単線結線図の編集データ３０１Ｂに基づいて、監視装置Ｂに読み込ませる単線結線図の設定データ３０３Ｂを生成する。監視装置Ｂは、単線結線図の設定データ３０３Ｂに基づいて、単線結線図３００Ｂをディスプレイに表示する。
【００２６】
単線結線図の編集データ３０１Ａ，３０１Ｂは、共通設定３１０と、監視装置Ａ，Ｂごとの個別設定３２０とを含む。従来の技術では、ユーザは、単線結線図の編集データ３０１Ａ，３０１Ｂの両方に対して、共通設定３１０および個別設定３２０を作成する必要があった。このことが単線結線図の作成工数の増大の原因となっていた。そこで、本実施の形態に従う設定装置は、単線結線図の編集データ３０１Ａ，３０１Ｂを作成する際に、共通設定３１０を流用できる機能を提供する。
【００２７】
次に、図４〜図７を参照して、本実施の形態に従う設定装置が提供する機能について説明する。本実施の形態に従う設定装置は、複数の単線結線図の作成時に、各単線結線図に共通の設定を流用して、各々の単線結線図を作成する機能を提供する。以下、当該機能の詳細について説明する。
【００２８】
図４は、本実施の形態に従う設定装置４００が生成するデータの一例を示す図である。設定装置４００は、３台の監視装置Ａ，Ｂ，Ｃ用の単線結線図の設定データを生成するものとする。
【００２９】
設定装置４００は、ユーザの操作入力に基づいて、単線結線図の編集データ４１０を生成する。単線結線図の編集データ４１０は、共通設定４１１と、個別設定４１２とを含む。「共通設定」とは、各監視装置に共通の設定である。「個別設定」とは、各監視装置の個別の設定である。一例として、監視装置Ａ，Ｂ，Ｃの各々が表示する単線結線図に共通するシンボルは、共通設定４１１に含まれる。監視装置Ａが表示する単線結線図にのみ含まれるシンボルは、個別設定４１２Ａに含まれる。これ以降、共通設定および個別設定を総称する場合は、単に「設定」と呼ぶ。
【００３０】
共通設定４１１および個別設定４１２は、レイヤを含む。または、共通設定４１１および個別設定４１２そのものがレイヤであってもよい。「レイヤ」は、ある領域に１または複数のシンボルを配置したものである。設定装置４００は、これらのレイヤを重ね合わせることができる。例えば、共通設定４１１のレイヤは、監視装置Ａ，Ｂ，Ｃの各々が表示する単線結線図に共通する１または複数のシンボルを含む。個別設定４１２のレイヤは、監視装置Ａ，Ｂ，Ｃの各々が表示する単線結線図にのみ含まれる１または複数のシンボルを含む。
【００３１】
設定データ出力部４１５は、共通設定４１１のレイヤと、個別設定４１２のレイヤとを重ね合わせて単線結線図設定データを生成する。一例として、設定データ出力部４１５は、共通設定４１１のレイヤと、個別設定４１２Ａのレイヤとを重ね合わせて監視装置Ａ用の単線結線図の設定データを生成する。ある局面において、設定データ出力部４１５は、ユーザの操作入力に基づいて、共通設定４１１のレイヤと、個別設定４１２Ａのレイヤとの重なり順を任意に変更し得る。他の局面において、設定データ出力部４１５は、ユーザの操作入力に基づいて、各レイヤまたは各レイヤに含まれる各シンボルの表示／非表示の設定を変更し得る。
【００３２】
設定データ出力部４１５は、各監視装置Ａ〜Ｃ用の単線結線図の設定データを各監視装置のＤＢ（Database）４２０Ａ〜４２０Ｃに格納する。監視装置Ａ〜Ｃは、各監視装置のＤＢ４２０Ａ〜４２０Ｃから取得した単線結線図の設定データに基づいて、ディスプレイに単線結線図を表示し得る。ある局面において、各監視装置のＤＢ４２０Ａ〜４２０Ｃは、単一のＤＢであってもよい。また、他の局面において、設定データ出力部４１５は、各監視装置Ａ〜Ｃ用の単線結線図の設定データを不揮発性のメモリに書き出すだけでもよい。
【００３３】
図５は、各監視装置の単線結線図の設定データの生成の様子の一例を示す図である。監視装置Ａ用の単線結線図の設定データは、共通設定４１１と、個別設定４１２Ａとに基づいて生成される。監視装置Ｂ用の単線結線図の設定データは、共通設定４１１と、個別設定４１２Ｂとに基づいて生成される。共通設定４１１は、監視装置Ａの単線結線図の設定データの生成時に使用されるだけでなく、監視装置Ｂ用の単線結線図の設定データの生成時にも流用されていることがわかる。
【００３４】
図６は、各監視装置で表示される単線結線図と、各監視装置の設定ファイルとの関係の一例を示す図である。ここでの「設定ファイル」とは、単線結線図の設定データを生成するための一群のデータを指す。例えば、監視装置Ａの設定ファイルは、共通設定４１１と、個別設定４１２Ａとを含む。または、単に設定ファイルと呼ぶ場合、当該設定ファイルは、共通設定４１１と、全ての監視装置の個別設定４１２とを含み得る。
【００３５】
図６を参照して、監視装置Ａ用の設定ファイル６００Ａは、共通設定４１１と、監視装置Ａ用の個別設定４１２Ａとを含む。監視装置Ｂ用の設定ファイル６００Ｂは、共通設定４１１と、監視装置Ｂ用の個別設定４１２Ｂとを含む。
【００３６】
監視装置Ａは、監視装置Ａ用の単線結線図に基づいて、単線結線図６０１Ａをディスプレイに表示する。単線結線図６０１Ａに含まれる各監視装置に共通のシンボルは、共通設定４１１に含まれる。単線結線図６０１Ａに含まれる監視装置Ａに個別のシンボルは、個別設定４１２Ａに含まれる。
【００３７】
同様に、監視装置Ｂは、監視装置Ｂ用の単線結線図に基づいて、単線結線図６０１Ｂをディスプレイに表示する。単線結線図６０１Ｂに含まれる各監視装置に共通のシンボルは、共通設定４１１に含まれる。単線結線図６０１Ｂに含まれる監視装置Ｂに個別のシンボルは、個別設定４１２Ｂに含まれる。
【００３８】
図７は、設定ファイルに含まれるレイヤの一例を示す図である。図７に示す設定ファイル７００は、共通設定４１１と、個別設定４１２Ａと、個別設定４１２Ｂとを含む。言い得れば、設定ファイル７００は、共通レイヤと、監視装置Ａ用のレイヤと、監視装置Ｂ用のレイヤとを含む。また、設定ファイル７００は、これらのレイヤの重なり順の情報も含んでいてもよい。設定装置４００は、各監視装置の単線結線図の設定データを生成する際、当該レイヤの重なり順の情報に基づいて、各設定（共通設定４１１および個別設定４１２）を結合し得る。
【００３９】
図４〜図７を参照して説明したように、設定装置４００は、各監視装置に共通の共通設定４１１を流用して、各監視装置用の単線結線図の設定データを生成する機能を備える。当該機能により、ユーザは、各監視装置に共通の共通設定４１１を一度作成するだけで、共通設定４１１を流用して各監視装置用の単線結線図の設定データを容易に作成し得る。その結果、単線結線図の設定データの作成工数は削減され得る。
【００４０】
次に、図８〜図１２を参照して、設定装置４００のソフトウェアおよびハードウェア構成、および、設定装置４００の内部動作の詳細について説明する。
【００４１】
図８は、設定装置４００を実現する機能の構成の一例を示す。ある局面において、図８に示す機能ブロックは、ハードウェアとして実現され得る。他の局面において、図８に示す機能ブロックは、ソフトウェアとして実現され得る。その場合、各機能ブロックは、図９に示すハードウェア上で実行され得る。設定装置４００は、編集部８０１と、レイヤ処理部８０２と、編集データ保存部８０３と、設定データ出力部８０４と、設定データ保存部８０５とを備える。
【００４２】
編集部８０１は、単線結線図の編集データを編集するための編集画面(ユーザインターフェイス)を提供する。ユーザは、設定装置４００に備え付けられた入力装置から、当該編集画面を操作することで、単線結線図の編集データの作成、編集、削除等を実行し得る。編集部８０１は、保存操作を受け付けると、レイヤ処理部８０２を介して、単線結線図の編集データを編集データ保存部８０３に保存する。
【００４３】
レイヤ処理部８０２は、単線結線図の編集データに含まれる各レイヤに関する処理を実行する。例えば、レイヤ処理部８０２は、レイヤ別の表示／非表示の切り替え機能を提供する。また、レイヤ処理部８０２は、ユーザによって入力された重なり順の設定に基づいて、各レイヤの重ね合わせ処理等を実行する。レイヤ処理部８０２は、各レイヤの重なり順の設定に基づいて、単線結線図の編集データ中に含まれる各レイヤを重ね合わせて編集画面に表示する。
【００４４】
ある局面において、レイヤ処理部８０２は、各レイヤを重ね合わせて編集可能な単線結線図の編集データを生成し、当該単線結線図の編集データを編集部８０１に出力し得る。他の局面において、レイヤ処理部８０２は、編集部８０１に一機能として組み込まれていてもよい。レイヤ処理部８０２は、編集部８０１において保存処理が実行されると、単線結線図の編集データを編集データ保存部８０３に保存する。
【００４５】
設定装置４００は、編集部８０１およびレイヤ処理部８０２を組み合わせて様々な機能を提供し得る。例えば、設定装置４００は、編集画面における操作入力に基づいて、レイヤまたはシンボル単位で表示・非表示を切り替えることができる。あるレイヤが非表示になった場合、当該レイヤ上に配置されているシンボルも非表示となる。また、設定装置４００は、編集画面における操作入力に基づいて、レイヤの重なり順を変更し得る。さらに、設定装置４００は、編集画面における操作入力に基づいて、各レイヤに、シンボルを配置し得る。
【００４６】
編集データ保存部８０３は、単線結線図の編集データを保存する。ある局面において、編集データ保存部８０３は、個別の単線結線図の編集データを保存してもよい。他の局面において、編集データ保存部８０３は、各レイヤと、各レイヤに対する参照情報とを保存してもよい。この場合、編集部８０１／レイヤ処理部８０２は、単線結線図の編集データの読込みの操作を受け付けたことに基づいて、各レイヤと、各レイヤに対する参照情報とから各単線結線図の編集データを再構成し得る。
【００４７】
設定データ出力部８０４は、編集データ保存部８０３に保存された単線結線図の編集データを単線結線図の設定データに変換し、当該単線結線図の設定データを設定データ保存部８０５に保存する。各設定は、各設定自身がどの監視装置向けのデータであるかを示す「適用対象情報」を含む。例えば、共通設定は、全ての監視装置に対して共通であることを示す適用対象情報を含む。また、監視装置Ａの個別設定は、監視装置Ａ用のデータであることを示す適用対象情報を含む。設定データ出力部８０４は、これらの適用対象情報に基づいて、必要な設定を組み合わせて、単線結線図の設定データを生成し得る。
【００４８】
設定データ保存部８０５は、単線結線図の設定データを保存する。ある局面において、設定データ保存部８０５は、監視装置から単線結線図の設定データの要求を受け付けたことに基づいて、単線結線図の設定データを監視装置に送信してもよい。
【００４９】
図９は、情報処理装置９００のハードウェアの構成の一例を示す。設定装置４００は、情報処理装置９００により実現され得る。情報処理装置９００は、ＣＰＵ（Central  Processing  Unit）９０１と、１次記憶装置９０２と、２次記憶装置９０３と、外部機器インターフェイス９０４と、入力インターフェイス９０５と、出力インターフェイス９０６と、通信インターフェイス９０７とを含む。ある局面において、設定装置４００は、複数の情報処理装置９００を組み合わせることで実現されてもよい。
【００５０】
ＣＰＵ９０１は、情報処理装置９００の各種機能を実現するためのプログラムを実行し得る。ＣＰＵ９０１は、例えば、少なくとも１つの集積回路によって構成される。集積回路は、例えば、少なくとも１つのＣＰＵ、少なくとも１つのＦＰＧＡ（Field  Programmable  Gate  Array）、ＡＳＩＣ（Application  Specific  Integrated  Circuit）またはこれらの組み合わせ等によって構成されてもよい。
【００５１】
１次記憶装置９０２は、ＣＰＵ９０１によって実行されるプログラムと、ＣＰＵ９０１によって参照されるデータとを格納する。ある局面において、１次記憶装置９０２は、ＤＲＡＭ（Dynamic  Random  Access  Memory）またはＳＲＡＭ（Static  Random  Access  Memory）等によって実現されてもよい。
【００５２】
２次記憶装置９０３は、不揮発性メモリであり、ＣＰＵ９０１によって実行されるプログラムおよびＣＰＵ９０１によって参照されるデータを格納してもよい。その場合、ＣＰＵ９０１は、２次記憶装置９０３から１次記憶装置９０２に読み出されたプログラムを実行し、２次記憶装置９０３から１次記憶装置９０２に読み出されたデータを参照する。ある局面において、２次記憶装置９０３は、ＨＤＤ（Hard  Disk  Drive）、ＳＳＤ（Solid  State  Drive）、ＥＰＲＯＭ（Erasable  Programmable  Read  Only  Memory）、ＥＥＰＲＯＭ（Electrically  Erasable  Programmable  Read  Only  Memory）またはフラッシュメモリー等によって実現されてもよい。
【００５３】
外部機器インターフェイス９０４は、プリンター、スキャナーおよび外付けＨＤＤ等の任意の外部機器に接続され得る。ある局面において、外部機器インターフェイス９０４は、ＵＳＢ（Universal  Serial  Bus）端子等によって実現されてもよい。
【００５４】
入力インターフェイス９０５は、キーボード、マウス、タッチパッドまたはゲームパッド等の任意の入力装置に接続され得る。ある局面において、入力インターフェイス９０５は、ＵＳＢ端子、ＰＳ／２端子およびＢｌｕｅｔｏｏｔｈ（登録商標）モジュール等によって実現されてもよい。
【００５５】
出力インターフェイス９０６は、ブラウン管ディスプレイ、液晶ディスプレイまたは有機ＥＬ（Electro-Luminescence）ディスプレイ等の任意の出力装置に接続され得る。ある局面において、出力インターフェイス９０６は、ＵＳＢ端子、Ｄ−ｓｕｂ端子、ＤＶＩ（Digital  Visual  Interface）端子およびＨＤＭＩ（登録商標）（High-Definition  Multimedia  Interface）端子等によって実現されてもよい。
【００５６】
通信インターフェイス９０７は、有線または無線のネットワーク機器と接続される。ある局面において、通信インターフェイス９０７は、有線ＬＡＮ（Local  Area  Network）ポートおよびＷｉ-Ｆｉ（登録商標）（Wireless  Fidelity）モジュール等によって実現されてもよい。他の局面において、通信インターフェイス９０７は、ＴＣＰ／ＩＰ（Transmission  Control  Protocol/Internet  Protocol）、ＵＤＰ（User  Datagram  Protocol）等の通信プロトコルを用いてデータを送受信してもよい。
【００５７】
図１０は、設定装置４００に格納される単線結線図の編集データおよび単線結線図の設定データの一例を示す図である。単線結線図の編集データは、２次記憶装置９０３に格納され得る。２次記憶装置９０３は、単線結線図の編集データ１０００と、単線結線図の設定データ１０３０とを格納する。
【００５８】
単線結線図の編集データ１０００は、２次記憶装置９０３上で編集データ保存部８０３として確保された領域に保存される。編集データ保存部８０３は、１つまたは複数の単線結線図の編集データ１０００を格納し得る。単線結線図の編集データ１０００は、１つまたは複数の設定（共通設定または／および個別設定）を含む。
【００５９】
各設定は、単線結線図の編集データ１０００内における１つのレイヤを含む。また、各設定は、レイヤの重なり順の設定、レイヤの表示／非表示の設定、および、レイヤに含まれるシンボルの表示／非表示の設定等を含む。図１０に示す例では、単線結線図の編集データ１０００は、共通設定１０１０と、監視装置Ａの個別設定１０２０Ａと、監視装置Ｂの個別設定１０２０Ｂとを含む。共通設定１０１０は、監視装置Ａ，Ｂに共通のレイヤを含み、個別設定１０２０Ａ，１０２０Ｂの各々は、監視装置Ａ，Ｂに個別のレイヤを含む。
【００６０】
レイヤは、予め部品化された１または複数のシンボルを組み合わせることで構成され得る。各シンボルは、単線結線図を構成する部分的な要素であり、図形部品（例えば、四角、線または円等）、文字列、数値、それ以外の任意の部品、または、それらの組み合わせであってもよい。
【００６１】
また、レイヤは、シンボルを配置可能な領域を含む。当該領域のサイズは、各レイヤ間で共通である。さらに、レイヤは、適用対象情報を含む。適用対象情報は、レイヤが全ての監視装置間で共通のレイヤ（共通設定のレイヤ）あるか、または、ある監視装置の個別のレイヤ（個別設定のレイヤ）であるかを示す。
【００６２】
単線結線図の設定データ１０３０は、２次記憶装置９０３上で設定データ保存部８０５として確保された領域に保存される。図１０に示す例では、監視装置Ａ用の単線結線図の設定データ１０３０Ａと、監視装置Ｂ用の単線結線図の設定データ１０３０Ｂとが２次記憶装置９０３に保存されている。
【００６３】
図１１は、レイヤに含まれるシンボルの一例を示す図である。図１１に示す例では、設定装置４００は、単線結線図の編集データ１１１０Ａと、単線結線図の編集データ１１１０Ｂとを格納している。
【００６４】
設定装置４００は、レイヤ１〜３（設定）を含む単線結線図の編集データを格納しているとする。ユーザは、レイヤ１〜３を一度作成するだけで、これらのレイヤを用いて、各監視装置向けの単線結線図の編集データ（図６の設定ファイル６００Ａ，６００Ｂに相当）を容易に作成し得る。
【００６５】
例えば、設定装置４００は、ユーザの操作入力に基づいて、監視装置Ａ用の単線結線図の編集データ１１１０Ａ（監視装置Ａの設定ファイル）を作成し得る。また、同様に、設定装置４００は、ユーザの操作入力に基づいて、監視装置Ｂ用の単線結線図の編集データ１１１０Ｂ（監視装置Ｂの設定ファイル）を作成し得る。単線結線図の編集データ１１１０Ａおよび単線結線図の編集データ１１１０Ｂは、レイヤ１〜３の参照情報、重なり順の設定、表示／非表示の設定のみを含んでいてもよい。
【００６６】
単線結線図の編集データ１１１０Ａのレイヤの重なり順の設定は、レイヤ１，レイヤ２，レイヤ３の順である。また、レイヤ３，２は表示される設定であり、レイヤ１は非表示の設定である。そのため、単線結線図の編集データ１１１０Ａのディスプレイ上での表示は、表示１１２０Ａのようになる。
【００６７】
また、単線結線図の編集データ１１１０Ｂのレイヤの重なり順の設定は、レイヤ２，レイヤ１，レイヤ３の順である。また、レイヤ１，２は表示される設定であり、レイヤ３は非表示の設定である。そのため、単線結線図の編集データ１１１０Ｂのディスプレイ上での表示は、表示１１２０Ｂのようになる。
【００６８】
図１２は、設定装置４００の内部処理のフローチャートの一例を示す図である。ある局面において、ＣＰＵ９０１は、図１２の処理を行うためのプログラムを２次記憶装置９０３から１次記憶装置９０２に読み込んで、当該プログラムを実行してもよい。他の局面において、当該処理の一部または全部は、当該処理を実行するように構成された回路素子の組み合わせとしても実現され得る。図１２に示すフローチャートは、単線結線図の編集データから単線結線図の設定データを生成する処理の手順を示す。
【００６９】
ステップＳ１２１０において、ＣＰＵ９０１は、単線結線図の編集データを２次記憶装置９０３から取得する。ある局面において、本ステップにてＣＰＵ９０１が取得する単線結線図の編集データは、レイヤの参照情報、重なり順の設定、表示／非表示の設定のみを含む単線結線図の編集データ（図１１に示す単線結線図の編集データ１１１０Ａ，１１１０Ｂに相当）であってもよい。
【００７０】
ステップＳ１２２０において、ＣＰＵ９０１は、取得した単線結線図の編集データに含まれるレイヤの適用対象情報から、単線結線図の設定データを出力する監視装置を特定する。例えば、ＣＰＵ９０１は、取得した単線結線図の編集データに含まれるレイヤの適用対象情報が監視装置Ａを示す場合、監視装置Ａを単線結線図の設定データの出力先として特定する。ＣＰＵ９０１は、複数の監視装置を単線結線図の設定データの出力先として特定してもよい。
【００７１】
ステップＳ１２３０において、ＣＰＵ９０１は、単線結線図の設定データの出力先として、ステップＳ１２２０にて特定した監視装置の中から１台を選択する。ある局面において、ＣＰＵ９０１は、ステップＳ１２２０にて監視装置Ａ〜Ｃを特定していた場合、監視装置Ａ〜Ｃのいずれか１台を自動的に選択し得る。他の局面において、ＣＰＵ９０１は、入力インターフェイス９０５を介して、ステップＳ１２２０にて特定した監視装置の中から任意の１台を選択する入力操作を受け付けたことに基づいて、単線結線図の設定データの出力先を入力操作により選択された監視装置に決定してもよい。
【００７２】
ステップＳ１２４０において、ＣＰＵ９０１は、ステップＳ１２３０にて選択した監視装置に対して出力するレイヤを取得する。例えば、ＣＰＵ９０１は、ステップＳ１２３０にて監視装置Ａを選択した場合、監視装置Ａ／全監視装置を示す適用対象情報を含むレイヤを選択する。ある局面において、ＣＰＵ９０１は、ステップＳ１２１０にて取得したレイヤの参照情報に基づいて、レイヤを取得してもよい。
【００７３】
ステップＳ１２５０において、ＣＰＵ９０１は、ステップＳ１２４０にて取得したレイヤが、ある監視装置に個別のレイヤまたは全監視装置に共通のレイヤであるか否かを判定する。ＣＰＵ９０１は、ステップＳ１２４０にて取得したレイヤが、ある監視装置に個別のレイヤまたは全監視装置に共通のレイヤであると判定した場合（ステップＳ１２５０にてＹＥＳ）、制御をステップＳ１２６０に移す。そうでない場合（ステップＳ１２５０にてＮＯ）、ＣＰＵ９０１は、制御をステップＳ１２７０に移す。
【００７４】
ステップＳ１２６０において、ＣＰＵ９０１は、ステップＳ１２４０にて取得したレイヤに対して、単線結線図の設定データへの出力処理を実行する。例えば、ステップＳ１２３０にて監視装置Ａが選択されていた場合、ＣＰＵ９０１は、監視装置Ａの単線結線図の設定データに、ステップＳ１２４０にて取得したレイヤを加える処理を実行する。
【００７５】
ステップＳ１２７０において、ＣＰＵ９０１は、単線結線図の設定データに対して未出力のレイヤがあるか否かを判定する。例えば、ステップＳ１２３０にて監視装置Ａが選択されていた場合、ＣＰＵ９０１は、監視装置Ａの単線結線図の設定データに加えるべきレイヤの中で、まだ監視装置Ａの単線結線図の設定データに出力されていないレイヤがあるか否かを判定する。
【００７６】
ＣＰＵ９０１は、単線結線図の設定データに対して未出力のレイヤがあると判定した場合（ステップＳ１２７０にてＹＥＳ）、制御をステップＳ１２４０に移す。そうでない場合（ステップＳ１２７０にてＮＯ）、ＣＰＵ９０１は、制御をステップＳ１２８０に移す。
【００７７】
ステップＳ１２８０において、ＣＰＵ９０１は、単線結線図の設定データを未出力の監視装置があるか否かを判定する。例えば、ＣＰＵ９０１は、ステップＳ１２２０にて監視装置Ａ〜Ｃを特定していた場合、監視装置Ａ〜Ｃの全てに対して単線結線図の設定データを出力したか否かを判定する。
【００７８】
ＣＰＵ９０１は、単線結線図の設定データを未出力の監視装置があると判定した場合（ステップＳ１２８０にてＹＥＳ）、制御をステップＳ１２３０に移す。そうでない場合（ステップＳ１２８０にてＮＯ）、ＣＰＵ９０１は、処理を終了する。
【００７９】
ある局面において、ＣＰＵ９０１は、単線結線図の設定データを各監視装置に直接出力してもよい。他の局面において、ＣＰＵ９０１は、単線結線図の設定データを設定データ保存部８０５に保存してもよい。
【００８０】
以上説明したように、本実施の形態に従う設定装置４００は、各監視装置に共通の共通設定４１１を流用して、各監視装置用の単線結線図の編集データ／設定データを生成する機能を備える。当該機能により、ユーザは、各監視装置に共通の共通設定４１１を一度作成するだけで、共通設定４１１を流用して各監視装置用の単線結線図の設定データを容易に作成し得る。その結果、単線結線図の設定データの作成工数は削減され得る。
【００８１】
また、各設定はレイヤを含み、設定装置４００は、各レイヤの組み合わせ、重なり順、表示／非表示の設定に基づいて、容易に各監視装置用の単線結線図の設定データを生成する機能を備える。当該機能により、ユーザは、あるレイヤに含まれるシンボルを編集するだけで、当該あるレイヤを含む全ての単線結線図の編集データ／設定データを更新することができる。その結果、単線結線図の設定データのメンテナンス性も向上する。
【００８２】
実施の形態２．
次に実施の形態２について説明する。実施の形態２に従う設定装置は、各レイヤに内部データを関連付ける機能を備える点で、実施の形態１に従う設定装置と異なる。１つの変電所内に設置される複数の同種の監視装置の各々に表示される単線結線図は、同一母線に接続される電力系統の単線結線図である場合、互いに共通のシンボルだけでなく、互いに共通の内部データも含むことがある。そこで、実施の形態２における設定装置は、内部データの割り当て情報も共通設定に割り当てることで、各監視装置用の単線結線図の設定データをさらに容易に生成する機能を提供し得る。
【００８３】
図１３は、本実施の形態に従う設定ファイル１３００の一例を示す図である。本実施の形態に従う設定装置が生成および格納する設定ファイル１３００は、共通設定１３２０と、各監視装置に個別の個別設定１３３０と、レイヤ（各設定）に含まれる各シンボルに関連付けられる内部データ１３１０とを含む。図１３に示す例では、設定装置は、監視装置Ａ，Ｂ用の個別設定１３３０Ａ，１３３０Ｂを格納している。
【００８４】
単線結線図を表示している監視装置は、電力系統から取得した当該内部データに基づいて、単線結線図上に表示する数値をリアルタイムに更新し得る。内部データは、例えば、レイヤ上の個別のシンボルに関連付けられ、当該シンボルに関する情報の実測値を表す。例えば、図１のＸ母線に関連付けられた内部データは、Ｘ母線の実測値を表す。
【００８５】
図１３に示す例では、「数値データ１」は、監視装置Ｂのレイヤシンボルに関連付けられている。また、「数値データ２」は、監視装置Ａのレイヤのシンボルに関連付けられている。また、「数値データ３」は、全監視装置に共通のレイヤのシンボルに関連付けられている。
【００８６】
設定装置は、共通設定１３２０（全監視装置に共通のレイヤ）と、個別設定１３３０Ａ（監視装置Ａのレイヤ）と、個別設定１３３０Ｂ（監視装置Ｂのレイヤ）と、各内部データの関連付け情報とに基づいて、各監視装置用の単線結線図の設定データを生成する。例えば、監視装置ＡのＤＢ４２０Ａに格納される単線結線図の設定データは、「数値データ２」と「監視装置Ａのレイヤ」上のシンボルとの関連付け情報、および、「数値データ３」と「全監視装置に共通のレイヤ」上のシンボルとの関連付け情報を含む。同様に、監視装置ＢのＤＢ４２０Ｂに格納される単線結線図の設定データは、「数値データ１」と「監視装置Ｂのレイヤ」上のシンボルとの関連付け情報、および、「数値データ３」と「全監視装置に共通のレイヤ」上のシンボルとの関連付け情報を含む。
【００８７】
図１４は、本実施の形態に従う設定装置１４００の機能ブロックの構成の一例を示す。図１４に示す機能ブロックは、図８に示す機能ブロックの機能に加えて、内部データに関する機能をさらに備える。ある局面において、図１４に示す機能ブロックは、ハードウェアとして実現され得る。他の局面において、図１４に示す機能ブロックは、ソフトウェアとして実現され得る。その場合、各機能ブロックは、図９に示す情報処理装置９００のハードウェア上で実行され得る。
【００８８】
設定装置１４００は、編集部１４０１と、レイヤ処理部１４０２と、編集データ保存部１４０３と、設定データ出力部１４０４と、設定データ保存部１４０５と、内部データ保存部１４０６とを備える。編集部１４０１は、単線結線図の編集データを編集するための編集画面を提供する。ユーザは、当該編集画面を介して、各レイヤに配置されたシンボル毎に内部データの関連付け操作を実行することができる。
【００８９】
内部データ保存部１４０６は、保守対象の電力系統の内部データを格納する。ある局面において、内部データは、あるセンサの値等が書き込まれるメモリのアドレスあってもよい。編集部１４０１は、例えば、内部データ保存部１４０６から読み込んだ内部データの一覧を表示してユーザに提示し得る。
【００９０】
レイヤ処理部１４０２は、単線結線図の編集データ中に含まれる各レイヤの情報に加えて、各レイヤに配置されたシンボル毎に内部データの関連付け情報についても管理し得る。編集データ保存部１４０３は、単線結線図の編集データを保存する。単線結線図の編集データは、レイヤの情報に加えて、各レイヤに配置された各シンボルに対する内部データの関連付け情報も含む。
【００９１】
設定データ出力部１４０４は、編集データ保存部１４０３に保存された単線結線図の編集データを単線結線図の設定データに変換し、当該単線結線図の設定データを設定データ保存部１４０５に保存する。その際、設定データ出力部１４０４は、単線結線図の設定データに、各レイヤに配置された各シンボルに対する内部データの関連付け情報を含める。例えば、監視装置Ａの単線結線図の設定データは、監視装置Ａのレイヤ上のシンボルに対する内部データの関連付け情報と、全監視装置に共通のレイヤ上のシンボルに対する内部データの関連付け情報とを含み得る。
【００９２】
設定データ保存部１４０５は、単線結線図の設定データを保存する。当該単線結線図の設定データは、各レイヤに配置された各シンボルに対する内部データの関連付け情報を含む。ある局面において、設定データ保存部１４０５は、監視装置から単線結線図の設定データの要求を受け付けたことに基づいて、単線結線図の設定データを監視装置に送信してもよい。
【００９３】
図１５は、設定装置１４００に格納される単線結線図の編集データおよび単線結線図の設定データの一例を示す図である。単線結線図の編集データは、２次記憶装置９０３に格納され得る。図１５に示す例では、２次記憶装置９０３は、内部データ１３１０と、単線結線図の編集データ１５００と、単線結線図の設定データ１５３０とを格納している。
【００９４】
内部データ１３１０は、２次記憶装置９０３上に内部データ保存部１４０６として確保された領域に保存される。ある局面において、内部データ１３１０は、複数の内部データ（「数値データ１〜３」等）の集合であってもよい。内部データ保存部１４０６は、保守対象の電力系統の各設備の実測値（電流または電圧等）を格納する。当該各設備の実測値は、随時更新され得る。
【００９５】
単線結線図の編集データ１５００は、２次記憶装置９０３上で編集データ保存部１４０３として確保された領域に保存される。編集データ保存部１４０３は、１つまたは複数の単線結線図の編集データ１５００を格納し得る。単線結線図の編集データ１５００は、図１０に示す単線結線図の編集データ１０００が含む全ての情報に加えて、内部データ１３１０のシンボルに対する関連付け情報、または、シンボルに関連付けられた内部データ１３１０の一部または全てを含む。
【００９６】
例えば、共通設定１３２０は、共通設定１３２０のレイヤ上のシンボルに対する「内部データ１」の関連付け情報１５４０を含む。また、監視装置Ａの個別設定１３３０Ａは、個別設定１３３０Ａのレイヤ上のシンボルに対する「内部データ２」の関連付け情報１５５０Ａを含む。さらに、監視装置Ｂの個別設定１３３０Ｂは、個別設定１３３０Ｂのレイヤ上のシンボルに対する「内部データ３」の関連付け情報１５５０Ｂを含む。
【００９７】
単線結線図の設定データ１５３０は、２次記憶装置９０３上で設定データ保存部１４０５として確保された領域に保存される。設定データ保存部１４０５は、１つまたは複数の単線結線図の設定データ１５３０を格納し得る。単線結線図の設定データ１５３０は、図１０に示す単線結線図の設定データ１０３０が含む全ての情報に加えて、内部データ１３１０のシンボルに対する関連付け情報、または、シンボルに関連付けられた内部データ１３１０の一部または全てを含む。例えば、監視装置Ａの単線結線図の設定データ１５３０Ａは、「内部データ１」の関連付け情報１５４０と、「内部データ２」の関連付け情報１５５０Ａとを含む。また、監視装置Ｂの単線結線図の設定データ１５３０Ｂは、「内部データ１」の関連付け情報１５４０と、「内部データ３」の関連付け情報１５５０Ｂとを含む。
【００９８】
図１６は、内部データ１３１０の付帯情報１６００の一例を示す図である。内部データ１３１０は、保守対象の電力系統の設備の実測値に加えて、付帯情報１６００を含み得る。当該付帯情報１６００は、一例として、ＩＤ（Identifier）１６０１と、単位１６０２と、データ型１６０３と、最大値１６０４と、最小値１６０５とを含み得る。ある局面において、設定装置１４００は、付帯情報１６００を２次記憶装置９０３内の内部データ保存部１４０６の領域に格納してもよい。他の局面において、設定装置１４００は、付帯情報１６００を２次記憶装置９０３内の内部データ保存部１４０６とは別の領域に格納してもよい。設定装置１４００は、付帯情報１６００を適宜参照し得る。
【００９９】
ＩＤ１６０１は、各設備の実測値（電圧または電流等）を一意に識別する。単位１６０２は、各設備の実測値の単位を示す。データ型１６０３は、各設備の実測値のデータ型を定義する。最大値１６０４は、各設備の実測値の最大値である。ある局面において、最大値１６０４は、過去に計測された実測値の最大値であってもよいし、実測値の許容範囲の最大値であってもよい。最小値１６０５は、各設備の実測値の最小値である。ある局面において、最小値１６０５は、過去に計測された実測値の最小値であってもよいし、実測値の許容範囲の最小値であってもよい。
【０１００】
図１７は、単線結線図の編集データに含まれる設定ファイル１７００の構成の一例を示す図である。図１７に示す例では、設定ファイル１７００は、共通設定の設定ファイル１７１０と、監視装置Ａの個別設定の設定ファイル１７２０とを含む。
【０１０１】
設定ファイル１７１０は、全監視装置に共通の「レイヤ１」と、「レイヤ１」上の「シンボル１」および「シンボル２」等を含む。さらに、設定ファイル１７１０は、各シンボルに関連付けられた内部データの参照情報と、画面表示情報とを含む。「画面表示情報」は、例えば、重なり順の設定、表示／非表示の設定等の情報を含む。
【０１０２】
また、設定ファイル１７２０は、監視装置Ａ用の「レイヤ２」と、「レイヤ２」上の「シンボル１０」等を含む。さらに、設定ファイル１７２０は、設定ファイル１７１０と同様に、各シンボルに関連付けられた内部データの参照情報と、画面表示情報とを含み得る。このように、設定ファイル１７００は、レイヤごとに管理された設定ファイルの集合である。
【０１０３】
次に、図１８〜図２０を参照して、設定装置１４００の編集部１４０１が提供する編集画面について説明する。なお、設定装置４００の編集部８０１も図１８〜図２０に示す編集画面をユーザに提供し得る。
【０１０４】
図１８は、編集部１４０１が提供する編集画面１８１０の画面の第１の例を示す図である。設定装置１４００は、出力インターフェイス９０６に接続されるディスプレイに編集画面１８１０を表示し得る。また、設定装置１４００は、入力インターフェイス９０５に接続される各種入力機器（キーボードおよび／またはマウス等）を介して、編集画面１８１０に対するユーザの操作入力を受け付け得る。さらに、設定装置１４００は、ユーザから保存の操作入力を受け付けたことに基づいて、編集画面１８１０上で編集された単線結線図の編集データを２次記憶装置９０３に保存し得る。
【０１０５】
編集画面１８１０は、作業領域１８２０と、レイヤプロパティ１８３０と、レイヤ設定ダイアログ１８４０とを含む。作業領域１８２０は、レイヤの編集機能を提供する。ユーザは、作業領域に表示される領域（レイヤの領域）にシンボルを配置することで、レイヤを定義し得る。
【０１０６】
レイヤプロパティ１８３０は、定義されたレイヤの一覧を表示し得る。また、ユーザは、レイヤプロパティ１８３０から、各レイヤについての情報を参照し得る。例えば、ユーザは、レイヤプロパティ１８３０を参照することで、各レイヤが全監視装置に共通設定のレイヤであるか、ある監視装置の個別設定のレイヤであるかを判別することができる。また、レイヤプロパティ１８３０は、各レイヤの重なり順の設定機能と、各レイヤの表示／非表示の設定機能とを提供し得る。
【０１０７】
レイヤ設定ダイアログ１８４０は、レイヤの適用対象情報を定義する機能を提供する。例えば、ユーザは、レイヤ設定ダイアログ１８４０上で、あるレイヤが共通設定のレイヤであるか、または、ある監視装置の個別設定のレイヤであるかを設定し得る。ある局面において、レイヤ設定ダイアログ１８４０は、編集画面１８１０のメニュー等からレイヤの新規作成が選択された場合に表示され得る。他の局面において、レイヤ設定ダイアログ１８４０は、レイヤプロパティ１８３０から、あるレイヤが選択された場合に、当該選択されたレイヤの適用対象情報と共に表示されてもよい。また、他の局面において、レイヤ設定ダイアログ１８４０は、編集画面１８１０とは別の画面として表示されてもよい。さらに、他の局面において、レイヤ設定ダイアログ１８４０は、編集画面１８１０の一部として表示されてもよい。
【０１０８】
図１９は、編集部１４０１が提供する編集画面１８１０の画面の第２の例を示す図である。編集画面１８１０は、さらに、シンボルパネル１９１０を含む。シンボルパネル１９１０は、作業領域１８２０に配置し得るシンボルの一覧を表示する。ユーザは、シンボルパネル１９１０から、あるシンボルを選択して作業領域１８２０に配置し得る。例えば、ユーザは、シンボルパネル１９１０からシンボルをドラッグアンドドロップで作業領域１８２０に配置してもよい。
【０１０９】
図２０は、編集部１４０１が提供する編集画面１８１０の画面の第３の例を示す図である。編集画面１８１０は、さらに、内部データダイアログ２０１０を含む。内部データダイアログ２０１０は、内部データに含まれる各設備の実測値と、各シンボルとの関連付け機能を提供する。ある局面において、内部データダイアログ２０１０は、編集画面１８１０と別画面として表示されてもよい。また、他の局面において、内部データダイアログ２０１０は、編集画面１８１０の一部として表示されてもよい。
【０１１０】
以上説明したように、本実施の形態に従う設定装置１４００は、各監視装置に共通の共通設定を流用して、各監視装置用の単線結線図の編集データ／設定データを生成する機能に加え、内部データを各レイヤのシンボルに関連付ける機能を備える。当該機能により、ユーザは、シンボルだけでなく、各監視装置に共通の内部データも流用して、各監視装置用の単線結線図の設定データを作成することができる。
【０１１１】
さらに、編集画面１８１０は、視覚的にレイヤを定義し、かつ、各シンボルに内部データを関連付ける機能を提供する。ユーザは、編集画面１８１０を使用することにより、各設定を編集している途中でも、共通設定および個別設定を重ね合わせて確認することができる。その結果、ユーザは、想定した通りの各監視装置用の単線結線図の設定データを容易に作成することができる。なお、各実施の形態は適宜組み合わせて実施されてもよい。
【０１１２】
今回開示された実施の形態は全ての点で例示であって制限的なものではないと考えられるべきである。本開示の範囲は上記した説明ではなくて請求の範囲によって示され、請求の範囲と均等の意味及び範囲内で全ての変更が含まれることが意図される。また、実施の形態および各変形例において説明された開示内容は、可能な限り、単独でも、組合わせても、実施することが意図される。
【符号の説明】
【０１１３】
１００，２００Ａ，２００Ｂ，３００Ａ，３００Ｂ，６０１Ａ，６０１Ｂ  単線結線図、１１０，２１０Ａ，２１０Ｂ，２２０Ａ，２２０Ｂ  シンボル、１２０，１３１０  内部データ、３０１Ａ，３０１Ｂ，４１０，１０００，１１１０Ａ，１１１０Ｂ，１５００  単線結線図の編集データ、３０３Ａ，３０３Ｂ，１５３０，１５３０Ａ，１５３０Ｂ  単線結線図の設定データ、３１０，４１１，１０１０，１３２０  共通設定、３２０，４１２，４１２Ａ，４１２Ｂ，１０２０Ａ，１０２０Ｂ，１３３０，１３３０Ａ，１３３０Ｂ  個別設定、４００，１４００  設定装置、４１５，８０４，１４０４  設定データ出力部、４２０Ａ  監視装置ＡのＤＢ、４２０Ｂ  監視装置ＢのＤＢ、４２０Ｃ  監視装置ＣのＤＢ、６００Ａ，６００Ｂ，７００，１３００，１７００，１７１０，１７２０  設定ファイル、８０１，１４０１  編集部、８０２，１４０２  レイヤ処理部、８０３，１４０３  編集データ保存部、８０５，１４０５  設定データ保存部、９００  情報処理装置、９０１  ＣＰＵ、９０２  １次記憶装置、９０３  ２次記憶装置、９０４  外部機器インターフェイス、９０５  入力インターフェイス、９０６  出力インターフェイス、９０７  通信インターフェイス、１１２０Ａ，１１２０Ｂ  表示、１４０６  内部データ保存部、１５４０，１５５０Ａ，１５５０Ｂ  関連付け情報、１６００  付帯情報、１６０１  ＩＤ、１６０２  単位、１６０３  データ型、１６０４  最大値、１６０５  最小値、１８１０  編集画面、１８２０  作業領域、１８３０  レイヤプロパティ、１８４０  レイヤ設定ダイアログ、１９１０  シンボルパネル、２０１０  内部データダイアログ。
【要約】
類似の構成を備える複数の電力系統が存在する場合、各電力系統で共通となる構成のパーツを流用して各電力系統の単線結線図を作成するための装置を提供する。当該装置は、単線結線図に関する操作を受け付ける入力部と、操作に基づいて単線結線図の設定データを生成する制御部と、設定データを記憶する記憶部とを備える。入力部は、第１の電力系統に関する第１の設定（４１２Ａ）と、第２の電力系統に関する第２の設定（４１２Ｂ）と、第１および第２の電力系統に共通する第３の設定（４１１）とを受け付ける。制御部は、第１の設定（４１２Ａ）と第３の設定（４１１）とを含む第１の単線結線図の設定データを生成し、第２の設定（４１２Ｂ）と第３の設定（４１１）とを含む第２の単線結線図の設定データを生成し、第１の単線結線図の設定データと、第２の単線結線図の設定データとを記憶部に格納する。【図１】
0006914459.tif 000002
【図２】
0006914459.tif 000003
【図３】
0006914459.tif 000004
【図４】
0006914459.tif 000005
【図５】
0006914459.tif 000006
【図６】
0006914459.tif 000007
【図７】
0006914459.tif 000008
【図８】
0006914459.tif 000009
【図９】
0006914459.tif 000010
【図１０】
0006914459.tif 000011
【図１１】
0006914459.tif 000012
【図１２】
0006914459.tif 000013
【図１３】
0006914459.tif 000014
【図１４】
0006914459.tif 000015
【図１５】
0006914459.tif 000016
【図１６】
0006914459.tif 000017
【図１７】
0006914459.tif 000018
【図１８】
0006914459.tif 000019
【図１９】
0006914459.tif 000020
【図２０】
0006914459.tif 000021